【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
画像形成装置の利用を許可する読取対象物から得られる識別情報を認証情報として記憶する認証サーバと、読取対象物を読み取る読取手段を備える画像形成装置とを含む情報処理システムであって、
前記画像形成装置は、
前記読取手段によって前記読取対象物を読み取ることで得られる識別情報を用いて認証要求を行う認証要求手段と、
前記認証サーバに識別情報が記憶されていない読取対象物を用いて当該画像形成装置を利用可能にすべく、登録要求として前記読取手段によって前記読取対象物を読み取ることで得られる識別情報と、当該画像形成装置を識別する画像形成装置識別情報とを前記認証サーバに送信する送信手段と、
前記認証要求手段で行った認証要求による認証が成功した場合に、当該画像形成装置の利用を許可する制御手段とを備え、
前記認証サーバは、
登録要求として前記画像形成装置から送信された前記読取対象物を読み取ることで得られた識別情報と前記画像形成装置識別情報とを受信する受信手段と、
前記認証サーバに識別情報が記憶されていない読取対象物を前記画像形成装置で利用可能な読取対象物とすべく、認証情報として前記受信手段で受信した識別情報と画像形成装置識別情報とを対応付けて登録する登録手段と、
前記認証要求手段による認証要求に従って、当該認証要求を送信した画像形成装置の画像形成装置識別情報が、前記登録手段で登録された前記画像形成装置識別情報に一致する場合に、当該認証要求に対する認証の成功結果を送信する認証結果送信手段と
を備えることを特徴とする情報処理システム。
【請求項２】
前記認証要求は、前記読取手段によって前記読取対象物を読み取ることで得られる識別情報を含み、
前記認証サーバは、
前記認証要求手段による認証要求が、当該認証サーバに予め登録されている識別情報の認証要求である場合に、前記登録手段で登録された前記識別情報を削除する削除手段
を更に備えることを特徴とする請求項１に記載の情報処理システム。
【請求項３】
前記予め登録されている識別情報は、ユーザが通常利用する読取対象物から得られる識別情報であり、
前記登録手段で登録する識別情報は、ユーザが一時的に利用する読取対象物から得られる識別情報であることを特徴とする請求項２に記載の情報処理システム。
【請求項４】
前記認証サーバは、
前記登録手段で登録された前記画像形成装置識別情報と異なる画像形成装置から、前記登録手段で登録済みの識別情報を登録する場合に、当該異なる画像形成装置からの利用を可能にすべく、前記登録手段で登録した画像形成装置識別情報を、前記受信手段で受信した、前記登録手段で登録した画像形成装置識別情報と異なる画像形成装置識別情報に変更する変更手段
を更に備えることを特徴とする請求項１乃至３のいずれか１項に記載の情報処理システム。
【請求項５】
前記変更手段は、前記登録手段で登録した識別情報と画像形成装置識別情報を削除し、前記受信手段で受信した識別情報と画像形成装置識別情報を新たに登録することを特徴とする請求項４に記載の情報処理システム。
【請求項６】
前記登録手段は、前記識別情報と前記画像形成装置識別情報を、ユーザを識別するためのユーザ識別情報に対応して登録することを特徴とする請求項１乃至５のいずれか１項に記載の情報処理システム。
【請求項７】
読取対象物を読み取る読取手段を備え、当該読取手段によって読取対象物を読み取ることで得られる識別情報の登録要求と認証要求を行う画像形成装置と通信可能な、画像形成装置の利用を許可する読取対象物から得られる識別情報を認証情報として記憶する認証サーバであって、
登録要求として前記画像形成装置から送信された前記読取対象物を読み取ることで得られた識別情報と前記画像形成装置の画像形成装置識別情報とを受信する受信手段と、
前記認証サーバに識別情報が記憶されていない読取対象物を前記画像形成装置で利用可能な読取対象物とすべく、認証情報として前記受信手段で受信した識別情報と画像形成装置識別情報とを対応付けて登録する登録手段と、
前記画像形成装置からの認証要求に従って、当該認証要求を送信した画像形成装置の画像形成装置識別情報が、前記登録手段で登録された前記画像形成装置識別情報に一致する場合に、当該認証要求に対する認証の成功結果を送信する認証結果送信手段と
を備えることを特徴とする認証サーバ。
【請求項８】
登録要求として画像形成装置から送信された読取対象物を読み取ることで得られた識別情報と画像形成装置識別情報とを受信する受信手段と、認証サーバに識別情報が記憶されていない読取対象物を前記画像形成装置で利用可能な読取対象物とすべく、認証情報として前記受信手段で受信した識別情報と画像形成装置識別情報とを対応付けて登録する登録手段と、認証要求に従って、当該認証要求を送信した画像形成装置の画像形成装置識別情報が、前記登録手段で登録された前記画像形成装置識別情報に一致する場合に、当該認証要求に対する認証の成功結果を送信する認証結果送信手段とを備える認証サーバと通信可能な、読取対象物を読み取る読取手段を備える画像形成装置であって、
前記読取手段によって前記読取対象物を読み取ることで得られる識別情報を用いて認証要求を行う認証要求手段と、
前記認証サーバに識別情報が記憶されていない読取対象物を用いて当該画像形成装置を利用可能にすべく、登録要求として前記読取手段によって前記読取対象物を読み取ることで得られる識別情報と、当該画像形成装置を識別する画像形成装置識別情報とを前記認証サーバに送信する送信手段と、
前記認証要求手段で行った認証要求による認証が成功した場合に、当該画像形成装置の利用を許可する制御手段と
を備えることを特徴とする画像形成装置。
【請求項９】
画像形成装置の利用を許可する読取対象物から得られる識別情報を認証情報として記憶する認証サーバと、読取対象物を読み取る読取手段を備える画像形成装置とを含む情報処理システムの処理方法であって、
前記画像形成装置が、
前記読取手段によって前記読取対象物を読み取ることで得られる識別情報を用いて認証要求を行う認証要求ステップと、
前記認証サーバに識別情報が記憶されていない読取対象物を用いて当該画像形成装置を利用可能にすべく、登録要求として前記読取手段によって前記読取対象物を読み取ることで得られる識別情報と、当該画像形成装置を識別する画像形成装置識別情報とを前記認証サーバに送信する送信ステップと、
前記認証要求ステップで行った認証要求による認証が成功した場合に、当該画像形成装置の利用を許可する制御ステップとを実行し、
前記認証サーバが、
登録要求として前記画像形成装置から送信された前記読取対象物を読み取ることで得られた識別情報と前記画像形成装置識別情報とを受信する受信ステップと、
前記認証サーバに識別情報が記憶されていない読取対象物を前記画像形成装置で利用可能な読取対象物とすべく、認証情報として前記受信ステップで受信した識別情報と画像形成装置識別情報とを対応付けて登録する登録ステップと、
前記認証要求ステップによる認証要求に従って、当該認証要求を送信した画像形成装置の画像形成装置識別情報が、前記登録ステップで登録された前記画像形成装置識別情報に一致する場合に、当該認証要求に対する認証の成功結果を送信する認証結果送信ステップ
とを実行することを特徴とする処理方法。
【請求項１０】
読取対象物を読み取る読取手段を備え、当該読取手段によって読取対象物を読み取ることで得られる識別情報の登録要求と認証要求を行う画像形成装置と通信可能な、画像形成装置の利用を許可する読取対象物から得られる識別情報を認証情報として記憶する認証サーバの処理方法であって、
前記認証サーバが、
登録要求として前記画像形成装置から送信された前記読取対象物を読み取ることで得られた識別情報と前記画像形成装置の画像形成装置識別情報とを受信する受信ステップと、
前記認証サーバに識別情報が記憶されていない読取対象物を前記画像形成装置で利用可能な読取対象物とすべく、認証情報として前記受信ステップで受信した識別情報と画像形成装置識別情報とを対応付けて登録する登録ステップと、
前記画像形成装置からの認証要求に従って、当該認証要求を送信した画像形成装置の画像形成装置識別情報が、前記登録ステップで登録された前記画像形成装置識別情報に一致する場合に、当該認証要求に対する認証の成功結果を送信する認証結果送信ステップ
として実行することを特徴とする処理方法。
【請求項１１】
登録要求として画像形成装置から送信された読取対象物を読み取ることで得られた識別情報と画像形成装置識別情報とを受信する受信手段と、認証サーバに識別情報が記憶されていない読取対象物を前記画像形成装置で利用可能な読取対象物とすべく、認証情報として前記受信手段で受信した識別情報と画像形成装置識別情報とを対応付けて登録する登録手段と、認証要求に従って、当該認証要求を送信した画像形成装置の画像形成装置識別情報が、前記登録手段で登録された前記画像形成装置識別情報に一致する場合に、当該認証要求に対する認証の成功結果を送信する認証結果送信手段とを備える認証サーバと通信可能な、読取対象物を読み取る読取手段を備える画像形成装置の処理方法であって、
前記画像形成装置が、
前記読取手段によって前記読取対象物を読み取ることで得られる識別情報を用いて認証要求を行う認証要求ステップと、
前記認証サーバに識別情報が記憶されていない読取対象物を用いて当該画像形成装置を利用可能にすべく、登録要求として前記読取手段によって前記読取対象物を読み取ることで得られる識別情報と、当該画像形成装置を識別する画像形成装置識別情報とを前記認証サーバに送信する送信ステップと、
前記認証要求ステップで行った認証要求による認証が成功した場合に、当該画像形成装置の利用を許可する制御ステップ
として実行することを特徴とする処理方法。
【請求項１２】
画像形成装置の利用を許可する読取対象物から得られる識別情報を認証情報として記憶する認証サーバと、読取対象物を読み取る読取手段を備える画像形成装置とを含む情報処理システムのプログラムであって、
前記画像形成装置を、
前記読取手段によって前記読取対象物を読み取ることで得られる識別情報を用いて認証要求を行う認証要求手段と、
前記認証サーバに識別情報が記憶されていない読取対象物を用いて当該画像形成装置を利用可能にすべく、登録要求として前記読取手段によって前記読取対象物を読み取ることで得られる識別情報と、当該画像形成装置を識別する画像形成装置識別情報とを前記認証サーバに送信する送信手段と、
前記認証要求手段で行った認証要求による認証が成功した場合に、当該画像形成装置の利用を許可する制御手段として機能させ、
前記認証サーバを、
登録要求として前記画像形成装置から送信された前記読取対象物を読み取ることで得られた識別情報と前記画像形成装置識別情報とを受信する受信手段と、
前記認証サーバに識別情報が記憶されていない読取対象物を前記画像形成装置で利用可能な読取対象物とすべく、認証情報として前記受信手段で受信した識別情報と画像形成装置識別情報とを対応付けて登録する登録手段と、
前記認証要求手段による認証要求に従って、当該認証要求を送信した画像形成装置の画像形成装置識別情報が、前記登録手段で登録された前記画像形成装置識別情報に一致する場合に、当該認証要求に対する認証の成功結果を送信する認証結果送信手段
として機能させることを特徴とするプログラム。
【請求項１３】
読取対象物を読み取る読取手段を備え、当該読取手段によって読取対象物を読み取ることで得られる識別情報の登録要求と認証要求を行う画像形成装置と通信可能な、画像形成装置の利用を許可する読取対象物から得られる識別情報を認証情報として記憶する認証サーバのプログラムであって、
前記認証サーバを、
登録要求として前記画像形成装置から送信された前記読取対象物を読み取ることで得られた識別情報と前記画像形成装置の画像形成装置識別情報とを受信する受信手段と、
前記認証サーバに識別情報が記憶されていない読取対象物を前記画像形成装置で利用可能な読取対象物とすべく、認証情報として前記受信手段で受信した識別情報と画像形成装置識別情報とを対応付けて登録する登録手段と、
前記画像形成装置からの認証要求に従って、当該認証要求を送信した画像形成装置の画像形成装置識別情報が、前記登録手段で登録された前記画像形成装置識別情報に一致する場合に、当該認証要求に対する認証の成功結果を送信する認証結果送信手段
として機能させることを特徴とするプログラム。
【請求項１４】
登録要求として画像形成装置から送信された読取対象物を読み取ることで得られた識別情報と画像形成装置識別情報とを受信する受信手段と、認証サーバに識別情報が記憶されていない読取対象物を前記画像形成装置で利用可能な読取対象物とすべく、認証情報として前記受信手段で受信した識別情報と画像形成装置識別情報とを対応付けて登録する登録手段と、認証要求に従って、当該認証要求を送信した画像形成装置の画像形成装置識別情報が、前記登録手段で登録された前記画像形成装置識別情報に一致する場合に、当該認証要求に対する認証の成功結果を送信する認証結果送信手段とを備える認証サーバと通信可能な、読取対象物を読み取る読取手段を備える画像形成装置のプログラムであって、
前記画像形成装置を、
前記読取手段によって前記読取対象物を読み取ることで得られる識別情報を用いて認証要求を行う認証要求手段と、
前記認証サーバに識別情報が記憶されていない読取対象物を用いて当該画像形成装置を利用可能にすべく、登録要求として前記読取手段によって前記読取対象物を読み取ることで得られる識別情報と、当該画像形成装置を識別する画像形成装置識別情報とを前記認証サーバに送信する送信手段と、
前記認証要求手段で行った認証要求による認証が成功した場合に、当該画像形成装置の利用を許可する制御手段
として機能させることを特徴とするプログラム。
【手続補正２】
【補正対象書類名】明細書
【補正対象項目名】０００１
【補正方法】変更
【補正の内容】
【０００１】
本発明は、例えば記憶媒体を用いた、画像形成装置の認証を可能にする情報処理システム、画像形成装置、認証サーバ、その処理方法およびプログラムに関する。
【手続補正３】
【補正対象書類名】明細書
【補正対象項目名】００１３
【補正方法】変更
【補正の内容】
【００１３】
そこで本発明は、読取対象物をユーザ操作で登録可能にし、かつ、登録した読取対象物で利用できるデバイスを制限することによって、セキュリティを考慮した仕組みを提供することを目的とする。
【手続補正４】
【補正対象書類名】明細書
【補正対象項目名】００１４
【補正方法】変更
【補正の内容】
【００１４】
本発明は、画像形成装置の利用を許可する読取対象物から得られる識別情報を認証情報として記憶する認証サーバと、読取対象物を読み取る読取手段を備える画像形成装置とを含む情報処理システムであって、前記画像形成装置は、前記読取手段によって前記読取対象物を読み取ることで得られる識別情報を用いて認証要求を行う認証要求手段と、前記認証サーバに識別情報が記憶されていない読取対象物を用いて当該画像形成装置を利用可能にすべく、登録要求として前記読取手段によって前記読取対象物を読み取ることで得られる識別情報と、当該画像形成装置を識別する画像形成装置識別情報とを前記認証サーバに送信する送信手段と、前記認証要求手段で行った認証要求による認証が成功した場合に、当該画像形成装置の利用を許可する制御手段とを備え、前記認証サーバは、登録要求として前記画像形成装置から送信された前記読取対象物を読み取ることで得られた識別情報と前記画像形成装置識別情報とを受信する受信手段と、前記認証サーバに識別情報が記憶されていない読取対象物を前記画像形成装置で利用可能な読取対象物とすべく、認証情報として前記受信手段で受信した識別情報と画像形成装置識別情報とを対応付けて登録する登録手段と、前記認証要求手段による認証要求に従って、当該認証要求を送信した画像形成装置の画像形成装置識別情報が、前記登録手段で登録された前記画像形成装置識別情報に一致する場合に、当該認証要求に対する認証の成功結果を送信する認証結果送信手段とを備えることを特徴とする。
【手続補正５】
【補正対象書類名】明細書
【補正対象項目名】００１５
【補正方法】変更
【補正の内容】
【００１５】
また、前記認証要求は、前記読取手段によって前記読取対象物を読み取ることで得られる識別情報を含み、前記認証サーバは、前記認証要求手段による認証要求が、当該認証サーバに予め登録されている識別情報の認証要求である場合に、前記登録手段で登録された前記識別情報を削除する削除手段を更に備えることを特徴とする。
【手続補正６】
【補正対象書類名】明細書
【補正対象項目名】００１６
【補正方法】変更
【補正の内容】
【００１６】
また、前記予め登録されている識別情報は、ユーザが通常利用する読取対象物から得られる識別情報であり、前記登録手段で登録する識別情報は、ユーザが一時的に利用する読取対象物から得られる識別情報であることを特徴とする。
また、前記認証サーバは、前記登録手段で登録された前記画像形成装置識別情報と異なる画像形成装置から、前記登録手段で登録済みの識別情報を登録する場合に、当該異なる画像形成装置からの利用を可能にすべく、前記登録手段で登録した画像形成装置識別情報を、前記受信手段で受信した、前記登録手段で登録した画像形成装置識別情報と異なる画像形成装置識別情報に変更する変更手段を更に備えることを特徴とする。
また、前記変更手段は、前記登録手段で登録した識別情報と画像形成装置識別情報を削除し、前記受信手段で受信した識別情報と画像形成装置識別情報を新たに登録することを特徴とする。
前記登録手段は、前記識別情報と前記画像形成装置識別情報を、ユーザを識別するためのユーザ識別情報に対応して登録することを特徴とする。
【手続補正７】
【補正対象書類名】明細書
【補正対象項目名】００１７
【補正方法】変更
【補正の内容】
【００１７】
本発明によれば、読取対象物をユーザ操作で登録可能にし、かつ、登録した読取対象物で利用できるデバイスを制限することによって、セキュリティを考慮した仕組みを提供することができる。